(57)【要約】【課題】ワイヤレスマイクロホンレシーバーが接続先のビデオカメラを識別することにより、レシーバーやビデオカメラの動作上の不都合を解消可能にする。【解決手段】ワイヤレス受信装置は、コネクタの複数の端子のうちの所定の端子Ｐ１が、このコネクタでの接続先の電子機器を識別するための識別端子として割り当てられている。また、このコネクタの接続時のこの端子Ｐ１の電圧レベルに応じたレベルの識別信号を生成する回路Ｒ４，Ｒ１３，Ｒ１４，Ｑ３，Ｃ４，Ｖ６が備えられている。そして、この識別信号のレベルに基づき、接続先の電子機器が識別される。【選択図】図３
2008263526.tif 000002
【特許請求の範囲】
【請求項１】
複数の端子を有するコネクタを備えたワイヤレス受信装置において、
前記複数の端子のうちの所定の端子が、前記コネクタで接続された電子機器を識別するための識別端子として割り当てられており、
前記コネクタの接続時の前記所定の端子の電圧レベルに応じたレベルの識別信号を生成する回路を備え、
前記識別信号のレベルに基づいて、前記コネクタで接続された電子機器を識別するようにしたことを特徴とするワイヤレス受信装置。
【請求項２】
請求項１に記載のワイヤレス受信装置において、
前記コネクタを用いて外部電源を入力し、
前記コネクタで接続された電子機器が、当該ワイヤレス受信装置にとって必要な大きさの電源容量を供給可能な電子機器であるか否かを、前記識別信号のレベルに基づいて識別する
ことを特徴とするワイヤレス受信装置。
【請求項３】
請求項２に記載のワイヤレス受信装置において、
前記コネクタで接続された電子機器が、当該ワイヤレス受信装置にとって必要な大きさの電源容量を供給可能な電子機器でないと識別した場合、当該ワイヤレス受信装置の動作を制限する制御手段
をさらに備えたことを特徴とするワイヤレス受信装置。
【請求項４】
請求項３に記載のワイヤレス受信装置において、
前記制御手段は、前記コネクタで接続された電子機器が、当該ワイヤレス受信装置にとって必要な大きさの電源容量を供給可能な電子機器でないと識別した場合、当該ワイヤレス受信装置を動作させない
ことを特徴とするワイヤレス受信装置。
【請求項５】
請求項３に記載のワイヤレス受信装置において、
複数チャンネルの信号を受信し、
前記制御手段は、前記コネクタで接続された電子機器が、当該ワイヤレス受信装置にとって必要な大きさの電源容量を供給可能な電子機器でないと識別した場合、当該ワイヤレス受信装置のうち、１チャンネル分の信号を受信する部分のみを動作させる
ことを特徴とするワイヤレス受信装置。
【請求項６】
請求項３に記載のワイヤレス受信装置において、
表示手段
をさらに備えており、
前記制御手段は、当該ワイヤレス受信装置の動作を制限していることを示す表示を前記表示手段に行わせる
ことを特徴とするワイヤレス受信装置。
【請求項７】
請求項１に記載のワイヤレス受信装置において、
複数チャンネルの信号を受信し、
前記コネクタとして、１チャンネルのみの信号を受信するワイヤレス受信装置と共通のコネクタを備えており、
前記複数の端子のち、１チャンネルのみの信号を受信するワイヤレス受信装置によって使用されていない端子が、前記識別端子として割り当てられている
ことを特徴とするワイヤレス受信装置。
【請求項８】
請求項１に記載のワイヤレス受信装置において、
音声信号をワイヤレス受信して前記コネクタから出力する
ことを特徴とするワイヤレス受信装置。
【請求項９】
複数の端子を有するコネクタを用いてワイヤレス受信装置を接続する電子機器において、
前記複数の端子のうちの所定の端子が、前記コネクタで接続されたワイヤレス受信装置を識別するための識別端子として割り当てられており、
前記コネクタの接続時の前記所定の端子の電圧レベルに応じたレベルの識別信号を生成する回路を備え、
前記識別信号のレベルに基づいて、前記コネクタで接続されたワイヤレス受信装置を識別するようにしたことを特徴とする電子機器。
【請求項１０】
請求項９に記載の電子機器において、
前記コネクタから入力した複数チャンネルの信号を処理するための信号線及び回路を有しており、
前記コネクタで接続されたワイヤレス受信装置が、複数チャンネルの信号を受信するワイヤレス受信装置であるか否かを、前記識別信号のレベルに基づいて識別する
ことを特徴とする電子機器。
【請求項１１】
請求項１０に記載の電子機器において、
前記コネクタで接続されたワイヤレス受信装置が、複数チャンネルの信号を受信するワイヤレス受信装置でないと識別した場合、前記信号線及び回路のうち、１チャンネル分の信号を入力する信号線及び回路以外を遮断する制御手段
をさらに備えたことを特徴とする電子機器。
【請求項１２】
請求項９に記載の電子機器において、
前記コネクタからの複数チャンネルの入力信号を処理するための信号線及び回路を有しており、
前記コネクタとして、１チャンネルのみの入力信号を処理するための信号線及び回路を有する電子機器と共通のコネクタを備えており、
前記複数の端子のうち、１チャンネルのみの入力信号を処理するための信号線及び回路を有する電子機器によって使用されていない端子が、前記識別端子として割り当てられている
ことを特徴とする電子機器。
【請求項１３】
請求項９に記載の電子機器において、
前記ワイヤレス受信装置は、音声信号をワイヤレス受信し、
前記電子機器は、記録装置一体型の撮像装置である
ことを特徴とする電子機器。
【発明の詳細な説明】
【技術分野】
【０００１】
本発明は、複数の端子を有するコネクタを備えたワイヤレス受信装置、及び、複数の端子を有するコネクタを用いてワイヤレス受信装置を接続する電子機器に関する。
【背景技術】
【０００２】
近年、テレビジョン放送の分野では、ワイヤレスマイクロホンを用いて伝送した音声を収録するという収録形態が一般的になっている。図１は、ワイヤレスマイクロホンの外観例を示す図である。このうち、図１Ａは、音声の送信側の装置であるワイヤレスマイクロホントランスミッター（以下トランスミッターと呼ぶ）を示している。トランスミッター２１は、マイクロホンからの音声信号によって変調した電波を送信する。
【０００３】
図１Ｂは、音声の受信側の装置であるワイヤレスマイクロホンレシーバー（以下レシーバーと呼ぶ）を示している。レシーバー２２は、トランスミッター２１から送信された電波を受信して音声信号を復調する。レシーバー２２の筐体の下面には、音声信号の出力や外部電源の入力等を行うための複数の端子を有するコネクタ２２ａが設けられている。また、レシーバー２２の筐体表面には、各種の表示を行うための表示部（液晶ディスプレイ）２２ｂが設けられるとともに、図示は省略するが、各種の設定操作を行うための操作部が設けられている。
【０００４】
図２Ａは、ワイヤレスマイクロホンを用いた音声収録システムを例示する図である。レシーバー２２を、レコーダー（ＶＴＲあるいは光ディスク装置）一体型のビデオカメラ３１に設けられたスロット３１ａに装着する。スロット３１ａ内には、レシーバー２２のコネクタ２２ａと同一規格のコネクタ（一方がオス型、他方がメス型のコネクタ）が設けられている。
【０００５】
そして、ビデオカメラ３１からレシーバー２２に電源を供給しながら、１台のトランスミッター２１から送信される音声をレシーバー２２で受信し、その音声をレシーバー２２のコネクタ２２ａ（図１Ｂ）からビデオカメラ３１に入力させて、ビデオカメラ３１で撮影される映像とともにその音声をビデオカメラ３１に収録する。
【０００６】
旧来は、こうしたワイヤレスマイクロホンのレシーバーは、１台のトランスミッターからの１チャンネルの音声のみを受信する機能しか有していなかった。それに対応して、従来のビデオカメラも、スロットにこうした１チャンネル型レシーバーが装着されることを想定した信号線（通信線など）や回路（音声処理回路など）や電源容量しか有していなかった。
【０００７】
しかし、近年は、番組制作等における音声の多チャンネル化に伴い、１台のレシーバーで複数チャンネルの音声を受信可能にすることが要求されており、そうした要求に対応して、複数チャンネルの音声を受信してコネクタから出力する機能を有するレシーバーが登場しつつある。
【０００８】
また、こうした複数チャンネル型のレシーバーを装着して複数チャンネルの音声信号を入力できるように信号線や回路を増やしたり電源容量を大きくした、複数チャンネル型レシーバー対応のビデオカメラも登場しつつある。
【０００９】
図２Ｂは、そうした音声収録システムを図２Ａと対応させて示す図であり、複数チャンネル型のレシーバーをレシーバー２３として示すとともに、複数チャンネル型レシーバー対応のビデオカメラをビデオカメラ３２として示している。レシーバー２３を、ビデオカメラ３２に設けられたスロット３２ａに装着する。スロット３２ａ内には、レシーバー２３のコネクタ（図１Ｂのコネクタ２２ａに相当するコネクタ）と同一規格のコネクタが設けられている。
【００１０】
そして、ビデオカメラ３２からレシーバー２３に電源を供給しながら、２台のトランスミッター２１から送信される音声をレシーバー２３で受信し、その２チャンネルの音声をレシーバー２３のコネクタからビデオカメラ３２に入力させて、ビデオカメラ３２で撮影される映像とともにその２チャンネルの音声をビデオカメラ３２に収録する。
【００１１】
このように、テレビジョン放送局では、放送用機材として、複数チャンネル型レシーバーと旧来からの１チャンネル型レシーバーとが混在したり、複数チャンネル型レシーバー対応のビデオカメラと旧来からの１チャンネル型レシーバー対応のビデオカメラとが混在した状況が生まれつつある。
【００１２】
ところで、複数チャンネル型レシーバーを旧来からの１チャンネル型レシーバー対応のビデオカメラのスロットに装着すると、ビデオカメラ側が１チャンネル型レシーバーを想定した小さな電源容量しか有していないので、複数チャンネル型レシーバーを動作させることができないばかりか、ビデオカメラ内の回路もオーバーロード状態になってしまう。
【００１３】
また、複数チャンネル型レシーバー対応のビデオカメラのスロットに旧来からの１チャンネル型レシーバーを装着すると、複数チャンネル型レシーバーの装着時にのみ使用する信号線や回路が未接続となるので、外来ノイズなどの影響によって音声信号にノイズが発生したり、ビデオカメラの動作が不安定になる可能性がある。
【００１４】
ここで、こうした動作上の不都合を解消する方法としては、複数チャンネル型レシーバー対応のビデオカメラへの複数チャンネル型レシーバーの装着機構を、１チャンネル型レシーバー対応のビデオカメラへの１チャンネル型レシーバーの装着機構とは異ならせることにより、複数チャンネル型レシーバーを１チャンネル型レシーバー対応のビデオカメラに機構的に装着できないようにし、複数チャンネル型レシーバー対応のビデオカメラには１チャンネル型レシーバーを機構的に装着できないようにするという方法も考えられる。
【００１５】
しかし、ビデオカメラでは、レシーバー装着用のスロットの周辺にもレシーバー以外に様々な機器が接続されるので、レシーバーの装着機構を変更しようとすると、他の機器を接続させる機構も変更しなければならなくなる。そして、レシーバーの装着機構を変更する目的だけのためにそのような様々な機器の接続機構を変更することは、コスト面やビデオカメラの使い易さの面からは望ましくない。
【００１６】
なお、従来、ビデオカメラに対するバッテリーや電源アダプタの装着の有無を識別するための技術は提案されていた（例えば、特許文献１及び特許文献２）が、ビデオカメラとレシーバーとの間での相互に識別を行う技術は提案されていなかった。
【００１７】
【特許文献１】特開２０００−１４０３７号公報
【特許文献２】特開平１１−２１５７３０号公報
【発明の開示】
【発明が解決しようとする課題】
【００１８】
本発明は、上述の点に鑑み、ビデオカメラへのレシーバーの装着機構を変更することなく、レシーバーとビデオカメラとが相互に識別を行うことにより、レシーバーやビデオカメラの動作上の不都合を解消可能にすることを課題としてなされたものである。
【課題を解決するための手段】
【００１９】
本発明は、
複数の端子を有するコネクタを備えたワイヤレス受信装置において、
前記複数の端子のうちの所定の端子が、前記コネクタで接続された電子機器を識別するための識別端子として割り当てられており、
前記コネクタの接続時の前記所定の端子の電圧レベルに応じたレベルの識別信号を生成する回路を備え、
前記識別信号のレベルに基づいて、前記コネクタで接続された電子機器を識別するようにしたことを特徴とする。
【００２０】
このワイヤレス受信装置は、コネクタの複数の端子のうちの所定の端子が、このコネクタでの接続先の電子機器を識別するための識別端子として割り当てられている。また、このコネクタの接続時のこの所定の端子の電圧レベルに応じたレベルの識別信号を生成する回路が備えられている。そして、この識別信号のレベルに基づき、接続先の電子機器が識別される。
【００２１】
このように、このワイヤレス受信装置では、コネクタの特定の端子を用いて、接続先の電子機器が自動的に識別される。
【００２２】
したがって、例えば背景技術欄に記載したようなレシーバーに適用すれば、ビデオカメラへのレシーバーの装着機構を変更することなく、装着先のビデオカメラを自動的に識別することができるので、その識別結果に応じてレシーバーやビデオカメラの動作上の不都合を解消することが可能になる。
【００２３】
次に、本発明は、
複数の端子を有するコネクタを用いてワイヤレス受信装置を接続する電子機器において、
前記複数の端子のうちの所定の端子が、前記コネクタで接続されたワイヤレス受信装置を識別するための識別端子として割り当てられており、
前記コネクタの接続時の前記所定の端子の電圧レベルに応じたレベルの識別信号を生成する回路を備え、
前記識別信号のレベルに基づいて、前記コネクタで接続されたワイヤレス受信装置を識別するようにしたことを特徴とする。
【００２４】
この電子機器は、ワイヤレス受信装置を接続するためのコネクタの複数の端子のうちの所定の端子が、このコネクタで接続されたワイヤレス受信装置を識別するための識別端子として割り当てられている。また、このコネクタの接続時のこの所定の端子の電圧レベルに応じたレベルの識別信号を生成する回路が備えられている。そして、この識別信号のレベルに基づき、接続したワイヤレス受信装置が識別される。
【００２５】
このように、この電子機器では、コネクタの特定の端子を用いて、接続したワイヤレス受信装置が自動的に識別される。
【００２６】
したがって、例えば背景技術欄に記載したようなビデオカメラに適用すれば、ビデオカメラへのレシーバーの装着機構を変更することなく、装着したレシーバーを自動的に識別することができるので、その識別結果に応じてレシーバーやビデオカメラの動作上の不都合を解消することが可能になる。
【発明の効果】
【００２７】
本発明に係るワイヤレス受信装置によれば、ワイヤレス受信装置に備えられているコネクタの特定の端子を用いて、接続先の電子機器を自動的に識別することができるという効果が得られる。
【００２８】
本発明に係る電子機器によれば、ワイヤレス受信装置を接続するために電子機器に備えられているコネクタの特定の端子を用いて、接続したワイヤレス受信装置を自動的に識別することができるという効果が得られる。
【発明を実施するための最良の形態】
【００２９】
以下、本発明の実施の形態を図面を用いて具体的に説明する。なお、以下では、背景技術欄に記載したような、複数チャンネル型レシーバーと、複数チャンネル型レシーバー対応のビデオカメラとに本発明を適用した例について説明する。
【００３０】
図３Ｂは、本発明を適用した複数チャンネル型レシーバーのうち、本発明に関連する部分の回路構成を示す図である。このレシーバーには、受信した複数チャンネルの音声信号の出力や外部電源の入力等を行うためのＤ−ｓｕｂ１５ピンコネクタ（図１Ｂに示したレシーバー２２のコネクタ２２ａに相当するもの）が設けられている。そして、このＤ−ｓｕｂ１５ピンコネクタのうちの７番ピンＰ１が、Ｄ−ｓｕｂ１５ピンコネクタで接続されたビデオカメラを識別するための接続機器識別端子としてアサインされている。
【００３１】
なお、本出願人が旧来から製造している１チャンネル型レシーバーにも、受信した１チャンネルの音声信号の出力や外部電源の入力等を行うためにＤ−ｓｕｂ１５ピンコネクタを設けたものが存在している。その１チャンネル型レシーバーでは、Ｄ−ｓｕｂ１５ピンコネクタの１５本のピンのうちの１１本にそれぞれ信号出力用や外部電源入力用等の何かしらの用途がアサインされているが、残りの４本には未アサインになっている。また、アサインされている１１本のピンの中でも、実際には使用されていないピンが２本存在しており、７番ピンもこれに該当している。
【００３２】
図３Ａは、本出願人が旧来から製造している１チャンネル型レシーバー（以下単に１チャンネル型レシーバーと呼ぶ）における７番ピンの周辺の回路を示す図であり、７番ピンには図３Ｂと同一符号を付している。以下、この図３Ａと対比しながら、本発明を適用した複数チャンネル型レシーバーの説明を行う。
【００３３】
図３Ａに示すように、１チャンネル型レシーバーでは、７番ピンＰ１は、ビデオカメラからレシーバーの電源を制御するリモート制御端子としてアサインされている。また、この７番ピンＰ１からリモート制御信号を入力するための信号線上に抵抗器Ｒ１２が設けられるとともに、この信号線のうち抵抗器Ｒ１２と７番ピンＰ１との中間の箇所が、キャパシタＣ２を介して接地されている。
【００３４】
また、この信号線のうち抵抗器Ｒ１２から見て７番ピンＰ１とは反対側の箇所に、Ｄ−ｓｕｂ１５ピンコネクタのピンのうち外部電源入力端子としてアサインされたピンＰ２が、抵抗器Ｒ２を介して接続されるとともに、ダイオードＤ３を介して接続されている。また、この信号線とピンＰ２との２箇所の接続点が、それぞれ抵抗器Ｒ３，ダイオードＤ４を介して接地されている。また、この信号線のうちピンＰ２との接続点から見て７番ピンＰ１とは反対側の箇所も、抵抗器Ｒ１を介して接地されている。
【００３５】
但し、実際には、後で図４Ａを用いて説明するように、旧来からの１チャンネル型レシーバー対応のビデオカメラでは、Ｄ−ｓｕｂ１５ピンコネクタの７番ピンは、オープンな端子となっており、何も接続されていない。したがって、１チャンネル型レシーバーでも、図３Ａに示した７番ピンＰ１は実際には使用されていない。
【００３６】
本発明を適用した複数チャンネル型レシーバーでは、Ｄ−ｓｕｂ１５ピンコネクタの１５本のピンのうち、１チャンネル型レシーバーで実際に使用されている９本のピン（アサインされている１１本のピンのうち、実際には未使用の２本を除くピン）には、１チャンネル型レシーバーにおけるのと同じ用途がアサインされている。
【００３７】
また、この複数チャンネル型レシーバーでは、図３Ｂに示すように、接続機器識別端子としてアサインされた７番ピンＰ１に接続された信号線は、抵抗器Ｒ４を介して、ｐｎｐ型のトランジスタＱ３のベースに接続されている。また、この信号線のうち抵抗器Ｒ４と７番ピンＰ１との中間の箇所に、Ｄ−ｓｕｂ１５ピンコネクタのうちのピンＰ２（１チャンネル型レシーバーと同じく外部電源入力端子としてアサインされたピン）が、抵抗器Ｒ１３を介して接続されている。
【００３８】
また、この信号線とピンＰ２との接続点が、キャパシタＣ４を介して接地されている。また、トランジスタＱ３のエミッタには、外部電源より生成される機内電源Ｖ６が接続されており、トランジスタＱ３のコレクタは、抵抗器Ｒ１４を介して接地されている。
【００３９】
そして、トランジスタＱ３のコレクタと抵抗器Ｒ１４との接続中点の電流が、複数チャンネル型レシーバー内の各部を制御するＣＰＵ１に、接続機器識別信号として供給される。ＣＰＵ１は、後で図６，図７及び図９を用いて説明するように、この接続機器識別信号のレベルに基づいて、レシーバー内の各部を制御する。
【００４０】
次に、図４Ｂは、本発明を適用した複数チャンネル型レシーバー対応のビデオカメラのうち、本発明に関連する部分の回路構成を示す図である。このビデオカメラには、レシーバーを装着するためのスロット（図２Ｂに示したビデオカメラ３２のスロット３２ａに相当するもの）が設けられており、そのスロット内にＤ−ｓｕｂ１５ピンコネクタが設けられている。そして、このＤ−ｓｕｂ１５ピンコネクタのうちの７番ピンＰ１１が、Ｄ−ｓｕｂ１５ピンコネクタで接続されたビデオカメラを識別するための接続機器識別端子としてアサインされている。
【００４１】
なお、本出願人が旧来から製造している１チャンネル型レシーバー対応のビデオカメラ（以下単に１チャンネル型レシーバー対応のビデオカメラと呼ぶ）では、７番ピンは、ビデオカメラからレシーバーの電源を制御するリモート制御端子としてアサインされているが、実際にはオープンな端子となっており、何も接続されていない。図４Ａには、１チャンネル型レシーバー対応のビデオカメラにおける７番ピンの周辺を、Ｄ−ｓｕｂ１５ピンコネクタのピンのうち外部電源供給端子としてアサインされたピンＰ１２とともに示している。ピンＰ１２には、ビデオカメラ内の電源Ｖ１が接続されている。
【００４２】
本発明を適用した複数チャンネル型レシーバー対応のビデオカメラでは、Ｄ−ｓｕｂ１５ピンコネクタの１５本のピンのうち、１チャンネル型レシーバー対応のビデオカメラで実際に使用されているピン（１チャンネル型レシーバーにおけるのと同じピン番号の９本のピン）には、１チャンネル型レシーバー対応のビデオカメラにおけるのと同じ用途がアサインされている。
【００４３】
また、この複数チャンネル型レシーバー対応のビデオカメラにおけるレシーバーの装着機構は、１チャンネル型レシーバー対応のビデオカメラにおけるレシーバーの装着機構と同じになっている。
【００４４】
また、この複数チャンネル型レシーバー対応のビデオカメラでは、図４Ｂに示すように、接続機器識別端子としてアサインされた７番ピンＰ１１に接続された信号線は、ダイオードＤ１及び抵抗器Ｒ５を介して、ｎｐｎ型のトランジスタＱ４のベースに接続されている。また、この信号線のうち、ダイオードＤ１と抵抗器Ｒ５の中間の箇所がキャパシタＣ３を介して接地されるとともに、抵抗器Ｒ５とトランジスタＱ４との中間の箇所が抵抗器Ｒ１５を介して接地されている。
【００４５】
また、トランジスタＱ４のコレクタには、抵抗器Ｒ１６を介して、機内電源Ｖ５が接続されている。また、トランジスタＱ４のエミッタは、接地されている。
【００４６】
そして、トランジスタＱ４のコレクタと抵抗器Ｒ１６との接続中点の電流が、複数チャンネル型レシーバー対応のビデオカメラ内の各部を制御するＣＰＵ２に、接続機器識別信号として供給される。ＣＰＵ２は、後で図８及び図９を用いて説明するように、この接続機器識別信号のレベルに基づいて、ビデオカメラ内の各部を制御する。
【００４７】
次に、図３に示した１チャンネル型レシーバーや複数チャンネル型レシーバーのＤ−ｓｕｂ１５ピンコネクタを、図４に示した１チャンネル型レシーバー対応のビデオカメラや複数チャンネル型レシーバー対応のビデオカメラのＤ−ｓｕｂ１５ピンコネクタに接続した状態や、この接続時の複数チャンネル型レシーバーや複数チャンネル型レシーバー対応のビデオカメラの動作について説明する。
【００４８】
図５は、図３Ａに示した１チャンネル型レシーバーのＤ−ｓｕｂ１５ピンコネクタを、図４Ａに示した１チャンネル型レシーバー対応のビデオカメラのＤ−ｓｕｂ１５ピンコネクタに接続した（すなわち、１チャンネル型レシーバーを、１チャンネル型レシーバー対応のビデオカメラのスロットに装着した）状態を示す図である。
【００４９】
前述のように、１チャンネル型レシーバー，１チャンネル型レシーバー対応のビデオカメラでは、Ｄ−ｓｕｂ１５ピンコネクタの７番ピンＰ１，Ｐ１１はそれぞれビデオカメラからレシーバーの電源を制御するリモート制御端子としてアサインされているが、実際には、ビデオカメラ側では、７番ピンＰ１１はオープンな端子となっており何も接続されていない。
【００５０】
そのため、この場合には、図５に示しているように、レシーバー側の７番ピンＰ１の電圧，ビデオカメラ側の７番ピンＰ１１の電圧はいずれもＬ（ロウ）レベルになり、レシーバー側のリモート制御信号もＬレベルになる。
【００５１】
図６は、図３Ｂに示した本発明を適用した複数チャンネル型レシーバーのＤ−ｓｕｂ１５ピンコネクタを、図４Ａに示した１チャンネル型レシーバー対応のビデオカメラのＤ−ｓｕｂ１５ピンコネクタに接続した（すなわち、本発明を適用した複数チャンネル型レシーバーを、１チャンネル型レシーバー対応のビデオカメラのスロットに装着した）状態を示す図である。
【００５２】
この場合には、図６に示しているように、レシーバー側では、７番ピンＰ１の電圧はＨ（ハイ）レベルになり、機器識別信号はＬレベルになる。また、ビデオカメラ側では７番ピンＰ１１の電圧がＨレベルになるが、ビデオカメラ側では７番ピンＰ１１には何も接続されていないので全く影響はない。
【００５３】
図３Ｂに示したレシーバー内のＣＰＵ１は、接続機器識別信号がＬレベルである場合には、Ｄ−ｓｕｂ１５ピンコネクタでの接続先のビデオカメラが１チャンネル型レシーバー対応のビデオカメラであると識別する。
【００５４】
１チャンネル型レシーバー対応のビデオカメラは、１チャンネル型レシーバーを想定した小さな電源容量しか有しておらず、複数チャンネル型レシーバーにとって必要な大きさの電源容量を供給することができない。
【００５５】
そこで、ＣＰＵ１は、接続機器識別信号がＬレベルである場合には、複数チャンネル型レシーバーを、動作を制限させた状態で起動させる。
【００５６】
下記の〔動作制限方法１〕，〔動作制限方法２〕は、この動作の制限方法の例である。ＣＰＵ１には、この２つの方法のうちのいずれか一方でのみレシーバーの動作を制限するプログラムを格納してもよい。あるいはまた、レシーバーの操作部で、この２つの方法のうちの任意の一方を選択する設定操作を行えるようにしておき、その設定操作で選択されたほうの方法でレシーバーの動作を制限するようなプログラムをＣＰＵ１に格納してもよい。
【００５７】
〔動作制限方法１〕
レシーバーの表示部（図１Ｂに示した表示部２２ｂに相当する液晶ディスプレイ）だけを動作させ、それ以外の部分を動作させない。そして、表示部を制御して、図７Ａに示すように、“動作できません”という文字を表示させる。
【００５８】
〔動作制限方法２〕
レシーバー内の、複数チャンネルの信号を受信・復調して音声信号を出力する回路のうちの、１チャンネル分の信号を受信・復調して音声信号を出力する回路部分と、表示部とだけを動作させる。そして、表示部を制御して、図７Ｂに示すように、“１ＣＨのみ動作します”という文字を表示させる。
【００５９】
これらの例のように、複数チャンネル型レシーバーの動作を制限させることにより、複数チャンネル型レシーバーを１チャンネル型レシーバー対応のビデオカメラのスロットに装着してしまった場合にも、ビデオカメラ内の回路がオーバーロード状態になる事態を防止することができる。
【００６０】
図８は、図３Ａに示した１チャンネル型レシーバーのＤ−ｓｕｂ１５ピンコネクタを、図４Ｂに示した本発明を適用した複数チャンネル型レシーバー対応のビデオカメラのＤ−ｓｕｂ１５ピンコネクタに接続した（すなわち、１チャンネル型レシーバーを、本発明を適用した複数チャンネル型レシーバー対応のビデオカメラのスロットに装着した）状態を示す図である。
【００６１】
この場合には、図８に示しているように、レシーバー側では、７番ピンＰ１の電圧はＬレベルになり、リモート制御信号もＬレベルになる。この状態は、１チャンネル型レシーバー対応のビデオカメラに接続された状態（図５の状態）と同じであり、互換性が取れている。
【００６２】
また、ビデオカメラ側では、７番ピンＰ１１の電圧はレシーバーからの出力電圧によって中間レベルになるが、この中間レベルをＬレベルに降下させた電圧がトランジスタＱ４のベースに供給されるように抵抗器Ｒ５やＲ１５の抵抗値を設定しておくことにより、機器識別信号はＨレベルになる。
【００６３】
図４Ｂに示したビデオカメラ内のＣＰＵ２は、接続機器識別信号がＨレベルである場合には、Ｄ−ｓｕｂ１５ピンコネクタで接続したレシーバーが１チャンネル型レシーバーであると識別する。
【００６４】
複数チャンネル型レシーバー対応のビデオカメラのスロットに１チャンネル型レシーバーを装着すると、複数チャンネル型レシーバーの装着時にのみ使用する信号線（通信線など）や回路（音声処理回路など）が未接続となるので、外来ノイズなどの影響によって音声信号にノイズが発生したり、ビデオカメラやレシーバーの動作が不安定になる可能性がある。
【００６５】
そこで、ＣＰＵ２は、接続機器識別信号がＨレベルである場合には、Ｄ−ｓｕｂ１５ピンコネクタから入力した複数チャンネルの音声信号を処理するための信号線（通信線など）及び回路（音声処理回路など）のうち、１チャンネル分の信号を入力する信号線及び回路以外を遮断する。
【００６６】
これにより、１チャンネル型レシーバーを複数チャンネル型レシーバー対応のビデオカメラのスロットに装着してしまった場合にも、外来ノイズなどの影響を低減することや、ビデオカメラを安定して動作させることができるとともに、入力音声信号のチャンネル数に合わせてビデオカメラを省電力化することができる。
【００６７】
図９は、図３Ｂに示した本発明を適用した複数チャンネル型レシーバーのＤ−ｓｕｂ１５ピンコネクタを、図４Ｂに示した本発明を適用した複数チャンネル型レシーバー対応のビデオカメラのＤ−ｓｕｂ１５ピンコネクタに接続した（すなわち、本発明を適用した複数チャンネル型レシーバーを、本発明を適用した複数チャンネル型レシーバー対応のビデオカメラのスロットに装着した）状態を示す図である。
【００６８】
この場合には、図９に示しているように、レシーバー側では、７番ピンＰ１の電圧はＬレベルになり、機器識別信号はＨレベルになる。
【００６９】
また、ビデオカメラ側では、７番ピンＰ１１の電圧はＨレベルになり、機器識別信号はＬレベルになる。
【００７０】
図３Ｂに示したレシーバー内のＣＰＵ１は、接続機器識別信号がＨレベルである場合には、Ｄ−ｓｕｂ１５ピンコネクタでの接続先のビデオカメラが複数チャンネル型レシーバー対応のビデオカメラであると識別する。そして、接続機器識別信号がＨレベルである場合には、複数チャンネル型レシーバーを、動作を制限することなく起動させる。
【００７１】
図４Ｂに示したビデオカメラ内のＣＰＵ２は、接続機器識別信号がＬレベルである場合には、Ｄ−ｓｕｂ１５ピンコネクタで接続したレシーバーが複数チャンネル型レシーバーであると識別する。そして、Ｄ−ｓｕｂ１５ピンコネクタから入力した複数チャンネルの音声信号を処理するための信号線及び回路を、全て動作させる。
【００７２】
以上に説明したように、本発明を適用した複数チャンネル型レシーバーによれば、装着先のビデオカメラが複数チャンネル型レシーバー対応のビデオカメラであるか１チャンネル型レシーバー対応のビデオカメラであるかを自動的に識別し、その識別結果に応じてレシーバー内部の動作を制御するので、ビデオカメラへのレシーバーの装着機構を変更することなく、１チャンネル型レシーバー対応のビデオカメラに装着してしまった場合のレシーバーやビデオカメラの動作上の不都合を解消することができる。
【００７３】
また、本発明を適用した複数チャンネル型レシーバー対応のビデオカメラによれば、装着したレシーバーが複数チャンネル型レシーバーであるか１チャンネル型レシーバーであるかを自動的に識別し、その識別結果に応じてビデオカメラ内部の動作を制御するので、ビデオカメラへのレシーバーの装着機構を変更することなく、１チャンネル型レシーバーを装着してしまった場合のビデオカメラの動作上の不都合を解消することができる。
【００７４】
なお、以上の説明において、図３Ｂや図４Ｂに示した接続機器識別信号生成用の回路（抵抗器，キャパシタ，ダイオード及びトランジスタから成る回路）の構成はあくまで一例であり、適宜の構成の回路によって接続機器識別端子の電圧から接続機器識別信号を生成するようにしてよい。
【００７５】
また、以上の説明では、Ｄ−ｓｕｂ１５ピンコネクタの７番ピンを接続機器識別端子としてアサインしているが、７番ピン外のピンであって１チャンネル型レシーバーで使用されていないピンを接続機器識別端子としてアサインしてもよい。
【００７６】
また、以上の説明では、Ｄ−ｓｕｂ１５ピンコネクタを備えたレシーバーやビデオカメラに本発明を適用しているが、Ｄ−ｓｕｂ１５ピンコネクタとは別の規格のコネクタを備えたレシーバーやビデオカメラにおいて、いずれかの端子を接続機器識別端子としてアサインしてもよい。
【００７７】
また、以上の説明では、ワイヤレスマイクロホンのレシーバーとこのレシーバーを接続するビデオカメラとに本発明を適用している。しかし、本発明は、音声信号以外の信号を受信するワイヤレス受信装置であって、複数の端子を有するコネクタを備えたものにも適用することができる。また、本発明は、ビデオカメラ以外の電子機器であって、複数の端子を有するコネクタを用いてワイヤレス受信装置を接続するものにも適用することができる。
【図面の簡単な説明】
【００７８】
【図１】ワイヤレスマイクロホンの外観例を示す図である。
【図２】ワイヤレスマイクロホンを用いたシステムを例示する図である。
【図３】レシーバーのうち、本発明に関連する部分の回路構成を示す図である。
【図４】ビデオカメラのうち、本発明に関連する部分の回路構成を示す図である。
【図５】１チャンネル型レシーバーのＤ−ｓｕｂ１５ピンコネクタを、１チャンネル型レシーバー対応のビデオカメラのＤ−ｓｕｂ１５ピンコネクタに接続した状態を示す図である。
【図６】本発明を適用した複数チャンネル型レシーバーのＤ−ｓｕｂ１５ピンコネクタを、１チャンネル型レシーバー対応のビデオカメラのＤ−ｓｕｂ１５ピンコネクタに接続した状態を示す図である。
【図７】図６の場合の、本発明を適用した複数チャンネル型レシーバーの表示部の表示例を示す図である。
【図８】１チャンネル型レシーバーのＤ−ｓｕｂ１５ピンコネクタを、本発明を適用した複数チャンネル型レシーバー対応のビデオカメラのＤ−ｓｕｂ１５ピンコネクタに接続した状態を示す図である。
【図９】本発明を適用した複数チャンネル型レシーバーのＤ−ｓｕｂ１５ピンコネクタを、本発明を適用した複数チャンネル型レシーバー対応のビデオカメラのＤ−ｓｕｂ１５ピンコネクタに接続した状態を示す図である。
【符号の説明】
【００７９】
Ｐ１  レシーバーのＤ−ｓｕｂ１５ピンコネクタの７番ピン、  Ｐ２  レシーバーのＤ−ｓｕｂ１５ピンコネクタのうちの外部電源入力端子としてアサインされたピン、  １  レシーバー内のＣＰＵ、  Ｐ１１  ビデオカメラのＤ−ｓｕｂ１５ピンコネクタの７番ピン、  Ｐ１２  ビデオカメラのＤ−ｓｕｂ１５ピンコネクタのうちの外部電源供給端子としてアサインされたピン、  ２  ビデオカメラ内のＣＰＵ
【図１】
2008263526.tif 000003
【図２】
2008263526.tif 000004
【図３】
2008263526.tif 000005
【図４】
2008263526.tif 000006
【図５】
2008263526.tif 000007
【図６】
2008263526.tif 000008
【図７】
2008263526.tif 000009
【図８】
2008263526.tif 000010
【図９】
2008263526.tif 000011